(57)【要約】【課題】  この発明は、光源ランプの照度を表示する画像の輝度に応じて複数段階に制御するための制御情報のみならず光源ランプの照度を強制的に省エネモードに固定させるための制御情報も伝達することができるようになる投射型映像表示装置を提供することを目的とする。【解決手段】  省電力モード設定指令を入力するための入力手段、入力映像信号の平均輝度レベルを検出する平均輝度レベル検出手段、常時は、平均輝度レベル検出回路によって検出された平均輝度レベルに応じたデューティ比の第１のＰＷＭ信号を発生し、省電力モード設定指令が入力手段によって入力されたときに、第１のＰＷＭ信号のいずれともデューティ比が異なる第２のＰＷＭ信号を発生するＰＷＭ発生手段、ならびにＰＷＭ発生手段によって発生したＰＷＭ信号が入力され、入力されたＰＷＭ信号のデューティ比に基づいて、光源ランプの照度を制御するランプ制御手段を備えている。【選択図】  図１
2005274883.tif 000002
【特許請求の範囲】
【請求項１】
光源ランプと光源ランプの光の強度を変調することによって画像を表示するライトバルブとを備えた投射型映像表示装置において、
光源ランプの照度を予め定めた省電力レベルに強制的に固定させるための省電力モード設定指令を入力するための入力手段、
入力映像信号の平均輝度レベルを検出する平均輝度レベル検出手段、
常時は、平均輝度レベル検出回路によって検出された平均輝度レベルに応じたデューティ比の第１のＰＷＭ信号を発生し、省電力モード設定指令が入力手段によって入力されたときに、第１のＰＷＭ信号のいずれともデューティ比が異なる第２のＰＷＭ信号を発生するＰＷＭ発生手段、ならびに
ＰＷＭ発生手段によって発生したＰＷＭ信号が入力され、入力されたＰＷＭ信号のデューティ比に基づいて、光源ランプの照度を制御するランプ制御手段を備えており、
ランプ制御手段は、第１のＰＷＭ信号が入力されたときには、第１のＰＷＭ信号のデューティ比に基づいて、入力映像の平均輝度レベルが大きいほど、光源ランプの照度が高くなるように光源ランプの照度を制御し、第２のＰＷＭ信号が入力されたときには、光源ランプの照度が省電力レベルに固定されるように光源ランプの照度を制御するものであることを特徴とする投射型映像表示装置。
【発明の詳細な説明】
【技術分野】
【０００１】
この発明は、光源ランプと光源ランプの光の強度を変調することによって画像を表示するライトバルブとを備えた、液晶プロジェクタ等の投射型映像表示装置に関する。
【背景技術】
【０００２】
ＬＣＤ、ＤＬＰ等のデバイスをライトバルブとして利用して画像を表示する投射型映像表示装置において、表示する画像の輝度に応じて光源ランプの照度（明るさ）を制御することにより、視覚的なコントラスト感を改善する方法が提案されている（特開平０３−１７９８８６号公報、特開平０８−２０１８１２号公報参照）。
【０００３】
光源ランプ制御のための制御情報をランプ制御回路に伝達するために、従来は、シリアルＵＡＲＴ通信で制御情報をランプ制御回路に送ったり、デジタルデータからなる制御情報をランプ制御回路に伝達していた。
【０００４】
しかしながら、このような方法では、情報伝達のための信号線が２本以上必要となり、情報伝達の送信側回路の回路規模が大きくなるとともに、受信側回路（ランプ制御回路  ）に必要とされるマイコンの規模も大きくなる。
【特許文献１】特開平０３−１７９８８６号公報
【特許文献２】特開平０８−２０１８１２号公報
【発明の開示】
【発明が解決しようとする課題】
【０００５】
この発明は、光源ランプ制御のための制御情報を１本の制御線によって伝達でき、しかも光源ランプの照度を表示する画像の輝度に応じて複数段階に制御するための制御情報のみならず光源ランプの照度を強制的に省エネモードに固定させるための制御情報も伝達することができるようになる投射型映像表示装置を提供することを目的とする。
【課題を解決するための手段】
【０００６】
請求項１に記載の発明は、光源ランプと光源ランプの光の強度を変調することによって画像を表示するライトバルブとを備えた投射型映像表示装置において、光源ランプの照度を予め定めた省電力レベルに強制的に固定させるための省電力モード設定指令を入力するための入力手段、入力映像信号の平均輝度レベルを検出する平均輝度レベル検出手段、常時は、平均輝度レベル検出回路によって検出された平均輝度レベルに応じたデューティ比の第１のＰＷＭ信号を発生し、省電力モード設定指令が入力手段によって入力されたときに、第１のＰＷＭ信号のいずれともデューティ比が異なる第２のＰＷＭ信号を発生するＰＷＭ発生手段、ならびにＰＷＭ発生手段によって発生したＰＷＭ信号が入力され、入力されたＰＷＭ信号のデューティ比に基づいて、光源ランプの照度を制御するランプ制御手段を備えており、ランプ制御手段は、第１のＰＷＭ信号が入力されたときには、第１のＰＷＭ信号のデューティ比に基づいて、入力映像の平均輝度レベルが大きいほど、光源ランプの照度が高くなるように光源ランプの照度を制御し、第２のＰＷＭ信号が入力されたときには、光源ランプの照度が省電力レベルに固定されるように光源ランプの照度を制御するものであることを特徴とする。
【発明の効果】
【０００７】
この発明によれば、光源ランプ制御のための制御情報を１本の制御線によって伝達でき、しかも光源ランプの照度を表示する画像の輝度に応じて複数段階に制御するための制御情報のみならず光源ランプの照度を強制的に省エネモードに固定させるための制御情報も伝達することができるようになる。
【発明を実施するための最良の形態】
【０００８】
以下、図面を参照して、この発明の実施例について説明する。
【実施例１】
【０００９】
図１は、投射型映像表示装置の電気的構成を示している。
【００１０】
投射型映像表示装置１０に入力された映像信号は、映像信号調整回路１に送られるとともにＡＰＬ検出回路４に送られる。映像信号調整回路１では、入力映像信号に対して表示デバイスパネル３に適した映像調整が施される。映像信号調整回路１から出力される映像信号は、駆動回路２に送られる。駆動回路２では、表示デバイスパネル３に適合したタイミング信号と映像信号とが生成される。駆動回路２によって生成された映像信号は、表示デバイスパネル３に書き込まれる。
【００１１】
光源ランプ７からの光が表示デバイスパネル３および光学レンズ９を介して投影スクリーン２０に投影されることにより、表示デバイスパネル３に書き込まれた映像が投影スクリーン２０上に表示される。
【００１２】
ＡＰＬ検出回路４では、入力映像信号の平均輝度レベル（ＡＰＬ）が１画面毎（フレーム毎または１フィールド毎）に検出される。ＡＰＬ検出回路４によって検出された平均輝度レベルはＰＷＭ発生回路５に送られる。
【００１３】
ＰＷＭ発生回路５は、周期が一定であり、かつＡＰＬ検出回路４から送られてきた平均輝度レベルに応じたデューティ比（パルス幅）を有するＰＷＭ信号（制御信号）を発生して、ランプ制御マイコン６に伝達する。この例では、図２に示すように、平均輝度レベルの取りうる範囲が予め１６段階に分割されており、ＰＷＭ発生回路５は、ＡＰＬ検出回路４から送られてきた平均輝度レベルが属する段階に応じたデューティ比（パルス幅）のＰＷＭ信号（制御信号）を発生する。
【００１４】
図２において、ＰＷＭ１は、ＡＰＬ検出回路４から送られてきた平均輝度レベルが最も大きい段階に属する場合に生成される制御信号を示し、ＰＷＭ１６は、ＡＰＬ検出回路４から送られてきた平均輝度レベルが最も小さい段階に属する場合に生成される制御信号を示している。
【００１５】
また、キー入力検出回路８によって操作部（リモートコントローラまたは投射型映像表示装置本体の操作部）から強制ＥＣＯモード設定指令（省エネモード設定指令）が入力されたことが検出された場合には、キー入力検出回路８はＰＷＭ発生回路５に強制ＥＣＯモード設定指令が送られる。ＰＷＭ発生回路５は強制ＥＣＯモード設定指令を受信したときには、図２にＰＷＭ１９で示すように、ＰＷＭ１〜ＰＷＭ１６とは、周期は同じであるが、デューティ比（パルス幅）が異なるＰＷＭ信号（制御信号）を発生して、ランプ制御マイコン６に伝達する。
【００１６】
ランプ制御マイコン６は、ＰＷＭ発生回路５から送られてくる制御信号のデューティ比（パルス幅）に基づいて、光源ランプ７の照度を制御する。具体的には、ＰＷＭ１〜ＰＷＭ１６のうちのいずれかの制御信号がランプ制御マイコン６に送られてきた場合には、デューティ比が小さい程（１周期内のハイレベルの期間が短い程）、光源ランプ７の照度が高くなるように光源ランプ７の照度を制御する。したがって、入力映像信号の平均輝度レベル（ＡＰＬ）が高いほど、光源ランプ７の照度が高くなるように制御される。
【００１７】
また、ＰＷＭ１９の制御信号がランプ制御マイコン６に送られてきた場合には、光源ランプ７の照度が点灯状態での最小レベル（たとえば、最大照度の８０％）となるように、光源ランプ７の照度を制御する。したがって、光源ランプ７は強制ＥＣＯモードで駆動されることになる。
【００１８】
強制ＥＣＯモードの解除は、操作部（リモートコントローラまたは投射型映像表示装置本体の操作部）から強制ＥＣＯモードの解除指令が入力されることによって解除される。キー入力検出回路８は、強制ＥＣＯモードの解除指令が入力されたことを検出すると、ＰＷＭ発生回路５に強制ＥＣＯモードの解除指令を送る。ＰＷＭ発生回路５は、強制ＥＣＯモードの解除指令を受信すると、強制ＥＣＯモードを解除し、ＡＰＬ検出回路４から送られてきた平均輝度レベルに応じた制御信号（ＰＷＭ１〜ＰＷＭ１６）を生成して、ランプ制御マイコン６に伝達する。
【００１９】
なお、この発明は、光源ランプが複数設けられている投射型映像表示装置にも適用することができる。光源ランプが複数設けられている場合の強制ＥＣＯモード時の駆動方法としては、２台の光源ランプを共に点灯状態での最小レベル（例えば、最大照度の８０％）となるように駆動させてもよいし、２台の光源ランプうちの１台を消灯させ、他方のみを点灯状態での最小レベル（例えば、最大照度の８０％）となるように駆動させるようにしてもよい。
【図面の簡単な説明】
【００２０】
【図１】投射型映像表示装置の電気的構成を示すブロック図である。
【図２】ＰＷＭ発生回路５によって発生する制御信号（ＰＷＭ信号）の波形を示す波形図である。
【符号の説明】
【００２１】
１  映像信号調整回路
２  駆動回路
３  表示デバイスパネル
４  ＡＰＬ検出回路
５  ＰＷＭ発生回路
６  ランプ制御マイコン
７  光源ランプ
８  キー入力検出回路
９  光学レンズ
１０  投射型映像表示装置
２０  投影スクリーン
【図１】
2005274883.tif 000003
【図２】
2005274883.tif 000004